(57)【要約】【課題】ポンプ容器を持ち易くすることで使い勝手を改善するポンプ操作用アタッチメント及び当該アタッチメントを有するポンプ容器を提案する。【解決手段】  ヘッド押下式吐出器付きポンプ容器を片手操作するためのアタッチメントであって、前記吐出器の外周を覆うためのカバー壁部２２を有するとともに、このカバー壁部２２を前記吐出器へ係止可能に設けている。そして、前記カバー壁部２２の上半部２２ｂに上側指当て部２８を、当該カバー壁部２２の下半部２２ａに下側指当て部２６をそれぞれ形成した。前記カバー壁部２２は、周方向の一部をノズル挿通口３４として切り欠いた欠筒形状に形成されており、小径の下半部２２ａと大径の上半部２２ｂの間に下向きの段差部２４が形成されている。【選択図】図１
2019081570.tif 000002
【特許請求の範囲】
【請求項１】
ヘッド押下式吐出器付きポンプ容器を片手操作するためのアタッチメントであって、
前記吐出器の外周を覆うためのカバー壁部(２２)を有するとともに、このカバー壁部(２２)を前記吐出器へ係止可能に設け、
前記カバー壁部(２２)の上半部(２２ｂ)に上側指当て部(２８)を、当該カバー壁部(２２)の下半部(２２ａ)に下側指当て部(２６)をそれぞれ形成したことを特徴とする、ポンプ操作用アタッチメント。
【請求項２】
前記カバー壁部(２２)は、小径の下半部(２２ａ)から段差部(２４)を介して大径の上半部(２２ｂ)を延出したことを特徴とする、請求項１に記載のポンプ操作用アタッチメント。
【請求項３】
前記カバー壁部(２２)は、周方向の一部をノズル挿通口(３４)として切り欠いたことを特徴とする、請求項１又は請求項２に記載のポンプ操作用アタッチメント。
【請求項４】
前記上側指当て部(２８)は、側方から見てくびれた形状の浅い凹溝に形成したことを特徴とする、請求項１から請求項３に記載のポンプ操作用アタッチメント。
【請求項５】
口頸部(４)を起立する容器体(１)と、
前記口頸部(４)に装着した装着部材(８)より下方へ、容器体(１)内に収納されたシリンダ(１０)を垂下するとともに、このシリンダ(１０)内に下半部を上方付勢状態で昇降可能に嵌合させた作動部材(１４)の上部に押下げヘッド(１８)を付設した吐出器(６)と、
前記装着部材(８)の外側に取り付けられた請求項１から請求項３の何れかに記載のポンプ操作用アタッチメント(２０)とを具備し、
前記押下げヘッド(１８)は、上限位置にあるときにポンプ操作用アタッチメント(２０)の上側に配置されていることを特徴とする、操作用アタッチメント付きポンプ容器。
【請求項６】
前記ポンプ操作用アタッチメント(２０)のカバー壁部(２２)は、その下半部(２２ａ)を装着部材(８)に嵌合するとともに、上半部(２２ｂ)が装着部材(８)より上側へ突設されていることを特徴とする、請求項５記載の操作用アタッチメント付きポンプ容器。
【請求項７】
前記装着部材(８)の外周面にはローレット(９)を、前記カバー壁部(２２)の内側には前記ローレットとの噛み合いが可能な縦リブ(３８)をそれぞれ設けたことを特徴とする、請求項５又は請求項６に記載の操作用アタッチメント付きポンプ容器。
【発明の詳細な説明】
【技術分野】
【０００１】
本発明は、ポンプ操作用アタッチメント及び操作用アタッチメント付きポンプ容器に関する。
【背景技術】
【０００２】
一般的なポンプ容器は、口頸部を起立する容器体と、前記口頸部に装着した装着部材より下方へ、容器体内に収納されたシリンダを垂下するとともに、このシリンダ内に下半部を上方付勢状態で昇降可能に嵌合させた作動部材の上部に押下げヘッドを付設した吐出器とを具備し、容器体に対する押下ヘッドの上下動により、容器体内の液体を第１逆止弁を介してシリンダ内に吸い込み、かつシリンダ内から第２逆止弁を介して押下ヘッドから吐出するように構成されている（特許文献１）。
【先行技術文献】
【特許文献】
【０００３】
【特許文献１】特開２０１１−２３０８４２
【発明の概要】
【発明が解決しようとする課題】
【０００４】
従来のポンプ容器の場合には、片手で操作するときに、その手の一本の指を押下げヘッドの上面に掛け、同じ手の残りの指を例えば装着部材の外周面に当てて把持し、押下げヘッドを押し下げる。しかしながら、手の大きさは人により異なるから、未成年者や女性などの小柄な人にとっては、持ち手（把持する場所をいう）から指掛け箇所である距離が長すぎ、操作しにくいことがあった。
またポンプ容器を洗濯用洗剤に使用する場合には、縦型洗濯機とドラム式洗濯機とでは注ぎ口の高さが異なるため、容器の持ち方によっては、注ぎにくいという問題もあった。
従来、ポンプ容器の操作性を向上するために、さまざまなアタッチメントが提案されている。
例えば前記特許文献１では、ポンプ容器の装着部材の外面に嵌合した嵌着壁部の両側から２本のアームを起立し、これらアームの先端にヒンジ連結したテコ片の下面を押下げヘッドの上面に当接させてなり、当該テコ片に指を掛けて押し下げることで押下げヘッドのノズルから液体を吐出できるようにしたものを開示している。しかしながら、これは押下げヘッドを押し下げるための指掛け部の工夫であり、ポンプ容器への指当て部（持ち手）に関する工夫をしたものは見当たらない。
【０００５】
本発明の目的は、ポンプ容器を持ち易くすることで使い勝手を改善するポンプ操作用アタッチメント及び当該操作アタッチメント付きのポンプ容器を提案することである。
【課題を解決するための手段】
【０００６】
第１の手段は、ヘッド押下式吐出器付きポンプ容器を片手操作するためのアタッチメントであって、
前記吐出器の外周を覆うためのカバー壁部２２を有するとともに、このカバー壁部２２を前記吐出器へ係止可能に設け、
前記カバー壁部２２の上半部２２ｂに上側指当て部２８を、当該カバー壁部２２の下半部２２ａに下側指当て部２６をそれぞれ形成した。
【０００７】
本手段では、吐出器の外周を覆うためのカバー壁部２２を前記吐出器へ係止可能に設け、カバー壁部２２の上半部２２ｂに上側指当て部２８を、当該カバー壁部２２の下半部２２ａに下側指当て部２６をそれぞれ形成している。これにより、図１及び図６に示すようにポンプ容器に下側から添えた手の一指を押下げヘッド１８の上面１８ａに掛けるとともに同じ手の残りの指を上側指当て部２８に当てて把持する持ち方（以下「順手持ち」という）と、図７に示すようにポンプ容器へ上側から延びる手の一指を押下げヘッドの上面に掛けるとともに同じ手の残りの指を下側指当て部２６に当てて把持する持ち方（以下「逆手持ち」という）とのどちらもが容易にできる。従って、使用の状況に従って持ち方を選ぶことができるので、便利である。
【０００８】
「吐出器の外周を覆うためのカバー壁部」とは、必ずしも吐出器の外周全体を覆う必要はなく、少なくとも吐出器の外周の半周以上を覆うような形状であればよく、例えば平面視Ｃ字形のものでもよい。他方、吐出器の全周を覆う筒壁部として形成しても構わない。
「カバー壁部を吐出器へ係止可能に設け」とは、カバー壁部を把持して持ち上げたときに、カバー壁部とともに吐出器及び容器体を持ち上げることができればどのような構造でもよい。図示例では、カバー壁部の下端から吐出器の装着部材下面に係合する係止手段（係止片）を突出しているが、カバー壁部自体の吐出器への嵌着力により係止しても構わない。
【０００９】
第２の手段は、第１の手段を有し、かつ前記カバー壁部２２は、小径の下半部２２ａから段差部２４を介して大径の上半部２２ｂを延出した。
【００１０】
本手段では、例えば図７に示すように、前記カバー壁部２２は、小径の下半部２２ａから段差部２４を介して大径の上半部２２ｂを延出している。これにより、同図に示す逆手持ちをするときに、下側指当て部２６に当てた二指が段差部２４に掛止され、下側指当て部２６から滑って外れることを防止できる。
【００１１】
第３の手段は、第１の手段又は第２の手段を有し、かつ前記カバー壁部２２は、周方向の一部をノズル挿通口３４として切り欠いた。
【００１２】
本手段では、前記カバー壁部２２は、周方向の一部をノズル挿通口３４として切り欠いた形状としている。これにより、押下げヘッドから側方にノズルが突出している態様の吐出器に対しても、本発明のポンプ操作用アタッチメントを支障なく適用することができる。
なお、“周方向の一部を切り欠いた”とは、図示例のような欠筒形状とすることの他、筒壁の周方向一部の上部のみを切り欠き、筒壁の上部にノズル挿通口を形成することを含む。
ここで「欠筒形状」とは、筒体の周方向の一部を筒長方向全体に亘って除去して得られる形状をいうものとする。
【００１３】
第４の手段は、第１の手段から第３の手段のいずれかを有し、かつ前記上側指当て部２８は、側方から見てくびれた形状の浅い凹溝に形成している。
【００１４】
本手段では、図４に示す如く、前記上側指当て部２８は、側方から見てくびれた形状の浅い凹溝に形成している。この形状は人体の指の腹に沿うものであるから、ポンプ操作用アタッチメント２０を把持したときに指先のフィット感が良好となり、指先が上側指当て部２８から滑って離脱するような不都合を生じにくい。
【００１５】
第５の手段は、操作用アタッチメント付きポンプ容器であり、
口頸部４を起立する容器体１と、
前記口頸部４に装着した装着部材８より下方へ、容器体１内に収納されたシリンダ１０を垂下するとともに、このシリンダ１０内に下半部を上方付勢状態で昇降可能に嵌合させた作動部材１４の上部に押下げヘッド１８を付設した吐出器６と、
前記装着部材８の外側に取り付けられた請求項１から請求項３の何れかに記載のポンプ操作用アタッチメント２０とを具備し、
前記押下げヘッド１８は、上限位置にあるときにポンプ操作用アタッチメント２０の上側に配置されている。
【００１６】
本手段では、従来公知のポンプ容器に前述のポンプ操作用アタッチメント２０を適用した構成を提案する。押下げヘッド１８は、上限位置にあるときに、ポンプ操作用アタッチメント２０の上側に配置されているので、前述の図１の順手持ち及び図７の逆手持ちをすることが可能となり、利便性が高まる。
【００１７】
第６の手段は、第５の手段を有し、かつ
前記ポンプ操作用アタッチメント２０のカバー壁部２２は、その下半部２２ａを装着部材８に嵌合するとともに、上半部２２ｂが装着部材８より上側へ突設されている。
【００１８】
本手段では、ポンプ操作用アタッチメント２０のカバー壁部２２は、その下半部２２ａを装着部材８に嵌合するとともに、上半部２２ｂが装着部材８より上側へ突設されているので、持ち手として上側指当て部２８を選ぶことで、持ち手と押下げヘッドの上面の指掛け箇所との距離が短くなり、小柄な利用者にとっても使い易い。
【００１９】
第７の手段は、第５の手段又は第６の手段を有し、かつ
前記装着部材８の外周面にはローレット９を、前記カバー壁部２２の内側には前記ローレットとの噛み合いが可能な縦リブ３８をそれぞれ設けた。
【００２０】
本手段では、図１に示す如く、前記装着部材８の外周面にはローレット９を、前記カバー壁部２２の内側には前記ローレットとの噛み合いが可能な縦リブ３８をそれぞれ設けており、これによりポンプ操作用アタッチメントが装着部材８に対して不意に回転することを防止している。
【発明の効果】
【００２１】
第１の手段に係る発明によれば、吐出器６を覆うためのカバー壁部２２の上半部２２ｂに上側指当て部２８を、当該カバー壁部２２の下半部２２ａに下側指当て部２６をそれぞれ形成したから、吐出器６の押下げヘッド１８に片手の指を掛けた状態で、その手の残りの指を上側指当て部２８に当てるときと下側指当て部２６に当てるときとで、異なる使い方をすることができ、使い勝手が高まる。
第２の手段に係る発明によれば、小径の下半部２２ａから段差部２４を介して大径の上半部２２ｂを延出したから、片手の親指を押下げヘッド１８に掛け、同じ手の二指を下側指当て部２６に当てる逆手持ちをするときに、その二指が掛止されて、下側指当て部２６からすり抜ける事を防止でき、操作性が良い。
第３の手段に係る発明によれば、前記カバー壁部２２は、周方向の一部をノズル挿通口３４として切り欠いたから、ノズルが押下げヘッドの側方へ突出されたタイプの容器であっても、ポンプ取り付け後にアタッチメントを取り付けることができ、セット性が良く、中身を詰め替える際の作業も容易である。
第４の手段に係る発明によれば、上側指当て部２８は、側方から見てくびれた形状の浅い凹溝に形成されており、人体の指の腹の形状に沿った形状であるので、上側指当て部２８から指が滑って上下に外れることを防止できる。
第５の手段に係る発明によれば、既存のポンプ容器に１パーツのアタッチメントを追加するだけで使用性が向上する。
第６の手段に係る発明によれば、ポンプ操作用アタッチメント２０のカバー壁部２２の上半部２２ｂが装着部材８より上側へ突設されているから、装着部材８を持つ場合と比べて、持ち手である上側指当て部２８から押下げヘッド１８の上面の指掛け箇所までの距離が短くなり、押下げ操作が容易となる。
第７の手段に係る発明によれば、前記装着部材８の外周面にはローレット９を、前記カバー壁部２２の内側には前記ローレットとの噛み合いが可能な縦リブ３８をそれぞれ設けたから、装着部材８に対してポンプ操作用アタッチメント２０が不意に回転することを防止でき、使い勝手がよい。
【図面の簡単な説明】
【００２２】
【図１】本発明の操作用アタッチメント付きポンプ容器の正面図である。
【図２】図１のポンプ容器の平面図である。
【図３】図１のポンプ容器の主要部（ポンプ操作用アタッチメント）の平面図である。
【図４】図３の主要部の正面図である。
【図５】図３の主要部のＶ−Ｖ方向に見た縦断面図である。
【図６】図１のポンプ容器の一つの使用態様を側方から見た様子を示す説明図である。
【図７】図１のポンプ容器の他の使用態様を正面から見た様子を示す説明図である。
【発明を実施するための最良の形態】
【００２３】
図１から図７は、本発明の実施形態に係る操作用アタッチメント付きポンプ容器を示している。このポンプ容器は、容器体１と、吐出器６と、ポンプ操作用アタッチメント２０とで構成されている。これら各部材は合成樹脂又は金属で形成することができる。
【００２４】
まず容器体１及び吐出器６の構成のうちで従来公知の事柄を簡単に説明する。
容器体１は、胴部２から肩部３を介して口頸部４を起立している。
吐出器６は、本実施形態では、装着部材８と、シリンダ１０と、抜止め筒部材１２と、作動部材１４とで構成されている。もっともこれらの構造は適宜変更することができる。
前記装着部材８は、前記口頸部４の外面に嵌合された装着筒部８ａの上端から内向きフランジ８ｂを内方突出している。また前記装着筒部８ａの外面にはローレット９が形成されている。
前記シリンダ１０は、シリンダ周壁の上端に付設した鍔部（図示せず）を前記口頸部４と内向きフランジ８ｂとの間に挟持させて、容器体内に垂下されている。シリンダ１０の下部には図示しない第１逆止弁が形成されており、この下部から容器体１の底部へ吸い上げパイプ１１が延びている。
前記抜止め筒部材１２は、その下半部をシリンダ１０の上部内に嵌着しており、後述の作動部材１４の下部の上方抜け出しを防止している。また抜止め筒部材１２の上部はシリンダ１０の上方へ延びており、その外面には、押下げヘッド１８を螺着させるためのネジ部が形成されている。
作動部材１４は、前記シリンダ１０内に、シリンダ周壁に摺接する筒状ピストン（図示せず）を含む下部を上方付勢状態で昇降可能に嵌挿しており、かつ前記抜止め筒部材１２の内側を通って起立するステム１６の上端に押下げヘッド１８を付設している。この押下げヘッド１８は側方へノズル１９を突出している。作動部材１４の適所には第２逆止弁が形成されており、シリンダ１０に対する作動部材１４の昇降により、容器体１内の液体が第１逆止弁を介してシリンダ１０内へ吸い上げられ、かつシリンダ１０内から第２逆止弁を介してノズル１９より外方へ吐出されるように構成している。
【００２５】
ポンプ操作用アタッチメント２０は、図４に示す如く、本実施形態では、吐出器６の外周の一部を覆うカバー壁部２２と、当該カバー壁部の下端部に設けられた係止手段３６とで形成されている。
【００２６】
カバー壁部２２は、本実施形態では、任意の筒体の周方向のうち前記ノズルの突出方向と同じ側を切り欠いた欠筒形状としており、切り欠かれた箇所にノズル挿通口３４を形成している。図３に示す如く、切り欠いた箇所は、周方向の半周以下とすることが望ましい。
図示例と異なり、カバー壁部２２を、切欠きを設けない筒体として形成してもよいが、この場合には、押下げヘッド１８を下降させたときにノズルがカバー壁部２２に当接しないように設計する必要があり、カバー壁部２２の高さが制限されることになる。前述のように切欠きを設けることで、カバー壁部２２を高く設計することができ、後述の上側指当て部２８と押下げヘッド１８の上面１８ａとの距離を近くすることができる。
図４に示す通り、カバー壁部２２は、小径の下半部２２ａから下向きの段差部２４を介して大径の上半部２２ｂを起立している。
カバー壁部２２の下半部２２ａ及び上半部２２ｂの平面形状は円弧状であるが、図３に示す通り、上半部２２ｂの円弧形は、下半部２２ａの円弧形より周方向に長く、上半部２２ｂの周方向の両側は、下半部２２ａの対応箇所よりも周方向へ突出する延長壁部２３に形成されている。
これらカバー壁部２２の下半部２２ａの外面は下側指当て部２６を、上半部２２ｂの外面は上側指当て部２８をそれぞれ形成している。下側指当て部２６は下半部２２ａの周方向の両側の間の全長に亘って、また上側指当て部２８は上半部２２ｂの周方向の両側の間の全長に亘ってそれぞれされている。
前記上側指当て部２８は、図４に示す如く、側方から見て利用者の指の腹の形状に沿ってくびれた形状の浅い凹溝に形成されており、上側指当て部２８の上下両側には第２横リブ３２及び第１横リブ３０が横設されており、上側指当て部２８から指が滑って上下に外れることを防止している。
下側指当て部２６については、本実施形態では、図７に示す如く、下側指当て部２６のすぐ上に下向きの段差部２４が、また下側指当て部２６のすぐ下に肩部３があり、これらの構造が下側指当て部２６から指が外れることを防止している。もっともこうした構造ではない場合には、下側指当て部２６を上側指当て部２８と同様に浅い凹溝に形成しても構わない。
前記カバー壁部２２の下半部２２ａの内面の周方向両側には、図３に示す如く、それぞれ縦リブ３８が形成されている。これら縦リブ３８は、図１に示す如く、前記装着筒部８ａの外面のローレット９とかみ合って、吐出器６に対する回転を防止している。
【００２７】
係止手段３６は、本実施形態では、前記カバー壁部２２の下端から内方吐出する係止片として形成されている。この係止片は、前記装着筒部８ａの下端部に係止されることにより、ポンプ操作用アタッチメント２０を持ち上げたときに、吐出器６及び容器体１がともに引き上げられるように構成されている。もっとも係止手段の構造は適宜変更することができる。
【００２８】
本実施形態のポンプ操作用アタッチメント２０は１パーツとして一体成形されており、構造も簡単であるから、安価に製造することができる。
【００２９】
次に吐出器６とポンプ操作用アタッチメント２０との関係について説明する。
吐出器６の押下げヘッド１８は、上限位置において、前記ポンプ操作用アタッチメント２０より上方に配置されており、従ってポンプ操作用アタッチメント２０を取り外すことなく、押下げヘッド１８を操作することが可能である。
前記カバー壁部２２の下半部２２ａは、本実施形態において、図３に示す如く、その平面形状が半円より長く、装着筒部８ａを抱持できるように設けられている。
またカバー壁部２２の上半部２２ｂは、ポンプ操作用アタッチメント２０を吐出器６に取り付けた状態において前記装着部材８より上方へ延びている。従って持ち手である上側指当て部２８と押下げヘッド１８の上面１８ａとの距離を、装着部材８と押下げヘッド１８の上面１８ａとの距離より短くすることができる。
【００３０】
次に容器体１とポンプ操作用アタッチメント２０との関係について説明する。
本発明において、容器体１の胴部２は、図１に示す如く、直筒状の下部２ａと、段差部である中間部２ｂと、上側に向かって小径化するテーパ状の上部２ｃとで形成されている。
そして胴部２の上部２ｃの外縁の略真上に上側指当て部２８の外周面があるように設計されている。
これにより、図６に示すように胴部２の上部２ｃから上側指当て部２８に亘って手を添えて把持するときに、把持し易い形状となる。上側指当て部２８に片手の二指を当てた状態で押下げヘッド１８の上面１８ａに対して同じ手の一指が無理なく届くので、操作性を向上するという本発明のアタッチメントの利点がより確実なものとなる。
【００３１】
前記構成において、例えば縦型洗濯機の洗濯物投入口（又は洗剤充填口）のような高い場所に内容物を吐出するときには、図１又は図６に示すように、片手の一指を押下げヘッド１８の上面１８ａに掛けるとともに同じ手の残りの指を上側指当て部２８に当てる順手持ちをすればよい。
他方、ドラム式洗濯機の洗濯物投入口（又は洗剤充填口）の如く低い場所に内容物を吐出するときには、図７に示すように片手の一指を押下げヘッド１８の上面１８ａに掛けるとともに同じ手の残りの指を下側指当て部２６に当てる逆手持ちをすればよい。
このように、本発明のポンプ操作用アタッチメントの使用態様は、吐出する場所次第で２つの使用方法を使い分けられる２ｗａｙ方式であり、例えば洗濯機などの機械の構成に合わせて無理に腰を屈めて内容物を吐出する必要がないので、使い勝手がよい。
また本発明のポンプ操作用アタッチメントのみを購入して、既存のポンプ容器に適用することができるので、経済的であり、しかも、既存のポンプ容器に対して、例えばノズルの突出方向と反対側からポンプ操作用アタッチメントを組み付けることにより組立が完了するので、セット性もよい。
同様にポンプ容器の容器体を新しいものに交換するときも、吐出器にポンプ操作用アタッチメントを付けたままで、装着筒部８ａから容器体１を外して詰め替え用の容器体に取り換えればよいので、交換の手間もかからない。
【符号の説明】
【００３２】
１…容器体  ２…胴部  ２ａ…下部  ２ｂ…中間部  ２ｃ…上部  ３…肩部
４…口頸部
６…吐出器  ８…装着部材  ８ａ…装着筒部
８b…内向きフランジ  ９…ローレット  １０…シリンダ  １１…吸上げパイプ
１２…抜止め筒部材  １４…作動部材  １６…ステム
１８…押下げヘッド  １８ａ…上面  １９…ノズル
２０…ポンプ操作用アタッチメント
２２…カバー壁部  ２２ａ…下半部  ２２ｂ…上半部  ２３…延長壁部
２４…段差部  ２６…下側指当て部  ２８…上側指当て部  ３０…第１横リブ
３２…第２横リブ  ３４…ノズル挿通口  ３６…係止手段（係止片）  ３８…縦リブ
【図１】
2019081570.tif 000003
【図２】
2019081570.tif 000004
【図３】
2019081570.tif 000005
【図４】
2019081570.tif 000006
【図５】
2019081570.tif 000007
【図６】
2019081570.tif 000008
【図７】
2019081570.tif 000009